(57)【要約】【課題】可動盤面部品（装飾体）を、単純動作する本体部分と、本体部分に付設されて本体部分の動作変化に応じて出没、開閉動作することにより可動盤面部品の全体形状に大きな変化を与える開閉機構と、から構成した装飾ユニットを提供する。【解決手段】装飾体３１は、遊技盤面上に配置された主装飾部材３２と、主装飾部材の外径方向に配置された可動装飾部材４０と、主装飾部材の背面側に退避した閉止位置と外径側に突出した開放位置との間を開閉自在に支持された開閉片７５を備えた開閉機構７０と、を備え、可動装飾部材は、複数の可動装飾片、及び該可動装飾片を駆動する駆動機構から成り、複数の可動装飾片は、遊技盤面と並行な方向へ開閉自在に軸支され、閉止位置にある時に主装飾部材に近接し、開放位置にある時に主装飾部材から離間した位置にある。【選択図】図３
2010022434.tif 000002
【特許請求の範囲】
【請求項１】
遊技盤上に沿って配置された装飾体を備えた装飾体ユニットであって、
前記装飾体は、前記遊技盤面上に配置された主装飾部材と、前記主装飾部材の外径方向に配置された可動装飾部材と、前記主装飾部材の背面側に退避した閉止位置と外径側に突出した開放位置との間を開閉自在に支持された開閉片を備えた開閉機構と、を備え、
前記可動装飾部材は、複数の可動装飾片、及び該可動装飾片を駆動する駆動機構から成り、
前記各可動装飾片は、遊技盤面と並行な方向へ開閉自在に軸支され、該各可動装飾片は閉止位置にある時に前記主装飾部材に近接し、開放位置にある時に前記主装飾部材から離間した位置にあり、
前記駆動機構は、前記２つの可動装飾片を閉止方向へ付勢する弾性部材と、該２つの分割可動装飾片を開放位置にてロックすると共に、ロック解除時に前記２つの可動装飾片を前記弾性部材の付勢力により閉止位置に移動させるロック手段と、を有していることを特徴とする装飾体ユニット。
【請求項２】
前記可動装飾片は、前記開放位置にあるときには前記遊技盤上の可視領域から退避しており、前記近接位置にあるときには該可視領域内に進入することを特徴とする請求項１に記載の装飾体ユニット。
【請求項３】
前記各開閉片の前面には、前記主装飾部材の前面に描かれた図柄とマッチングする図柄、或いは／及び、文字が描かれていることを特徴とする請求項１又は２に記載の装飾体ユニット。
【請求項４】
前記開閉片の一部又は全部を透光材料により構成したことを特徴とする請求項１乃至３の何れか一項に記載の装飾体ユニット。
【請求項５】
請求項１乃至４の何れか一項に記載の装飾体ユニットを備えたことを特徴とする遊技盤。
【請求項６】
請求項５に記載の遊技盤を備えたことを特徴とするパチンコ遊技機。
【発明の詳細な説明】
【技術分野】
【０００１】
本発明は、パチンコ遊技機を構成する遊技盤面上において種々動作することによって遊技進行上特徴的な演出効果を発揮するように構成された装飾体を備えた装飾体ユニット、遊技盤、及びパチンコ遊技機に関する。
【背景技術】
【０００２】
パチンコ遊技機においては、遊技盤の盤面に入賞口、風車、図柄表示装置、電飾装置等の各種盤面部品を設けて遊技内容の多様性を図っている。例えば、遊技の進行中における入賞、その他の状況変化を契機として可動盤面部品（装飾体）を種々の方向に動作させることにより演出効果を高めている。
例えば、遊技盤に設けられた始動入賞口に遊技球が入賞すると、遊技盤中の図柄表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、特許文献１には、大当たりになると図柄表示装置の表示内容に連動して役物を左右に動作させる構成が開示されている。また、特許文献２には、図柄が所定の組合せになると、役物を遊技盤の前後方向に移動させる構成が開示されている。
【特許文献１】特開２００４−１９５０８４公報
【特許文献２】特開平０６−００７５０９公報
【発明の開示】
【発明が解決しようとする課題】
【０００３】
以上のように従来の可動盤面部品を進退動作させる機構にあっては、左右方向、或いは前後方向に単純に動作させたり、遊技盤面外にあった盤面部品が盤面内に出現するという程度の単純な変化に過ぎないため、可動盤面部品の動作量や動作タイミングに変化を付与したとしても変化に乏しい内容となり易く、遊技者に退屈感を与え、興趣を低下させるという問題があった。
本発明は上記に鑑みてなされたものであり、可動盤面部品（装飾体）を、静止、或いは単純動作する本体部分と、本体部分に付設されて出没、開閉動作することにより可動盤面部品の全体形状に大きな変化を与える可動装飾部材、及び開閉機構と、から構成した装飾体ユニット、遊技盤、及びパチンコ遊技機を提供するものである。
【課題を解決するための手段】
【０００４】
上記目的を達成するため、請求項１の発明に係る装飾体ユニットは、遊技盤上に沿って配置された装飾体を備えた装飾体ユニットであって、前記装飾体は、前記遊技盤面上に配置された主装飾部材と、前記主装飾部材の外径方向に配置された可動装飾部材と、前記主装飾部材の背面側に退避した閉止位置と外径側に突出した開放位置との間を開閉自在に支持された開閉片を備えた開閉機構と、を備え、前記可動装飾部材は、複数の可動装飾片、及び該可動装飾片を駆動する駆動機構から成り、前記複数の可動装飾片は、遊技盤面と並行な方向へ開閉自在に軸支され、閉止位置にある時に前記主装飾部材に近接し、開放位置にある時に前記主装飾部材から離間した位置にあり、前記駆動機構は、前記２つの可動装飾片を閉止方向へ付勢する弾性部材と、該２つの分割可動装飾片を開放位置にてロックすると共に、ロック解除時に前記２つの可動装飾片を前記弾性部材の付勢力により閉止位置に移動させるロック手段と、を有していることを特徴とする。
主装飾部材の外径方向に配置した可動装飾部材が内外径方向へ進退、出没するため、主装飾部材の形状が大きく変化した印象を与え、遊技内容に変化をもたらすことができる。のみならず、主装飾部材の背面側に配置した開閉機構が作動すると開閉片が開閉動作するので相乗効果により意外性を有した遊技内容を演出することができる。開閉片の開放時には、主可動部材の面積が急に拡張したような意外性を有した演出が可能となる。特に、主可動部材の前面に描かれた図柄等と関連性のある絵柄、或いは関連性のない図柄等を各開閉片の前面に設けておくことにより、開閉片の開放によって主装飾部材全体の形状を拡大して見せたり、紋章の全体のイメージを大きく変化させることができる。装飾体は、遊技盤面の前方に配置される場合と、遊技盤面に設けた開口内、或いは開口の後方に配置される場合がある。更に、遊技盤がアクリル盤等の透明な材料から構成される場合には、遊技盤面の後方に装飾体が配置される場合もある。
請求項２の発明に係る装飾体ユニットは、請求項１において、前記可動装飾片は、前記開放位置にあるときには前記遊技盤上の可視領域から退避しており、前記近接位置にあるときには該可視領域内に進入することを特徴とする。
【０００５】
請求項３の発明に係る装飾体ユニットは、請求項１又は２において、前記各開閉片の前面には、前記主装飾部材の前面に描かれた図柄とマッチングする図柄、或いは／及び、文字が描かれていることを特徴とする。
開閉片は前面に文字、図柄を描いたものであり、この開閉片を開放状態に移行させた場合には主装飾部材の前面に描かれた絵柄の外周縁に沿って飾りが付加された状態となるので、主装飾部材の面積が拡大すると共に、異なった形状に変化する。このため、形状の拡大変形により、遊技者は変化に富んだ演出を堪能することができる。
請求項４の発明に係る装飾体ユニットは、請求項１乃至３の何れか一項において、前記開閉片の一部又は全部を透光材料により構成したことを特徴とする。
また、開閉片の全部、又は一部を透明、或いは半透明の透光材料により構成したり、一部に貫通部を設けておけば、開閉片の開放時に背面側から照光することにより開閉片を発光させる電飾効果を発揮させることができる。
請求項５の発明に係る遊技盤は、請求項１乃至４の何れか一項に記載の装飾体ユニットを備えたことを特徴とする。
請求項６の発明に係るパチンコ遊技機は、請求項５に記載の遊技盤を備えたことを特徴とする。
【発明の効果】
【０００６】
以上のように本発明によれば、可動盤面部品（装飾体）を、静止、或いは単純動作する主装飾部材と、主装飾部材に付設されて主装飾部材に対して出没、開閉動作することにより盤面部品の全体形状に大きな変化を与える開閉機構と、から構成した装飾体ユニット、遊技盤、及びパチンコ遊技機を提供することができる。即ち、主装飾部材の外径方向に配置した可動装飾部材が内外径方向へ進退、出没するため、主装飾部材の形状が大きく変化した印象を与え、遊技内容に変化をもたらすのみならず、主装飾部材の背面側に配置した開閉機構が作動すると開閉片が開閉動作するので相乗効果により意外性を有した遊技内容を演出することができる。
【発明を実施するための最良の形態】
【０００７】
以下、本発明を図面に示した実施の形態により詳細に説明する。
図１は、本発明の実施形態に係るパチンコ遊技機の一例を示した全体正面図である。
この図に示すパチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には遊技機用ボタンスイッチや、遊技球の購入ボタン、購入取り消しボタンが設けられている。
遊技盤の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、発射レバー５を操作することにより発射装置から発射された遊技球を遊技領域３ａの上部に案内したり、アウト口１５に案内する外レールＲ１、及び内レールＲ２が設けられている。
遊技盤３のほぼ中央部には開口部６が設けられ、開口部６の内部には画像表示装置７が配置されている。画像表示装置７は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
【０００８】
開口部６の下方には、画像表示装置７の特別図柄を可変表示させるための可変入賞装置８が設けられている。
開口部６の左右両側には夫々遊技盤３の盤面上を流下する遊技球を受けるステージ部９が設けられている。ステージ部９に案内された遊技球のうち、ステージ部の所定の入口に入った遊技球は、始動入賞口１１の真上に位置する出口から遊技盤面へと出て始動入賞口１１に入賞し易くなり、残りの遊技球はステージ部９上から落下し、多くの場合始動入賞口１１に入賞しない。
また、開口部６の左側には、遊技盤の右下部に配置された図示しない普通画像表示装置に表示される普通図柄を作動させるためのゲート１３が設けられている。さらに可変入賞装置８の下方には、特別遊技状態の一つである大当たり状態のときに開成状態になる開閉扉を有する大入賞口１４が設けられている。
遊技盤３には図示しない普通入賞口やアウト口１５等が設けられていると共に、風車や図示しない多数の遊技釘が突設されている。遊技釘は、遊技球の落下速度を遅くすると共に、落下方向を複雑に変化させて遊技進行上の興趣を高めている。
【０００９】
普通図柄表示装置に表示される普通図柄は、１個または複数個の図柄を変動表示可能であり、普通図柄始動口としてのゲート１３が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１３を遊技球が通過したことを条件に乱数制御により普通図柄が所定態様となった場合に、可変入賞装置８に設けられた電動式チューリップから成る可動片を所定時間、開成動作するように構成されている。
画像表示装置７に表示される特別図柄は、停止図柄が予め定められた図柄の組合せ、例えば同一図柄の組合せとなった場合に大当たり状態となるように構成されている。また特別図柄は可変入賞装置８の始動入賞口、又は電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
画像表示装置７の上方には、可動役物２０と、本発明に係る装飾体ユニット３０が配置されている。
可動役物２０は、「水戸黄門」という文字を象った部材からなり、また、装飾体ユニット３０は、三つ葉葵の紋章を象った正面視円盤状の構成を有している。
【００１０】
図２（ａ）及び（ｂ）は可動役物が閉止した状態、及び開放した状態を夫々示す正面図である。可動役物２０は、遊技盤３の左右方向（幅方向）に往復移動可能であり、互いに接近、離間する左右一対の開閉部材２１、２２からなる。左側の開閉部材２１は「水戸」の文字部材からなり、右側の開閉部材２２は「黄門」の文字部材からなる。可動役物２０は、非作動時（全閉時）には、図２（ａ）に示すように、一対の開閉部材２１、２２が接近した状態となり、また、作動時（全開時）には、図２（ｂ）に示すように、一対の開閉部材２１、２２が離間した状態となる。また、一対の開閉部材２１、２２は、単に全開状態と全閉状態の２つの態様をとるのみでなく、小刻みに開方向への移動と閉方向への移動を交互に繰り返す動作をとる場合もある。
【００１１】
図３（ａ）及び（ｂ）は本発明の一実施形態に係る装飾体ユニット（閉止状態）の全体構成を示す斜視透視図、及び装飾体ユニットの背面斜視図であり、図４（ａ）及び（ｂ）は上記装飾体ユニットの閉止状態を示す正面図、及び背面図であり、図５（ａ）及び（ｂ）は上記装飾体ユニットの開放状態を示す正面図、及び背面図であり、図６は装飾ユニットの側部構成説明図であり、図７は装飾ユニットの駆動機構の正面図、図８は装飾ユニットの駆動機構の背面側分解斜視図であり、図９（ａ）及び（ｂ）は装飾ユニットの駆動機構の構成及び動作を示す背面図であり、図１０（ａ）及び（ｂ）装飾ユニットの駆動機構の構成及び動作を示す背面側斜視図であり、図１１は装飾ユニットの駆動機構の構成を示す側部説明図である。
装飾体ユニット３０は、遊技盤３の盤面上に配置されて正面に三つ葉葵の紋章を象った装飾体３１と、装飾体３１を駆動するための開閉機構７０と、を備えている。装飾体３１は、遊技盤面の前方に配置される場合と、遊技盤面に設けた開口内、或いは開口の後方に配置される場合がある。更に、遊技盤がアクリル盤等の透明な材料から構成される場合には、遊技盤面の後方に装飾体３１が配置される場合もある。
なお、装飾体ユニット３０は、遊技盤３に組み込み可能なユニットとして構成しているために、額縁形の支持部材Ａ内に組み込んだものとして図示されているが、支持部材Ａは必須ではない。本例に係る装飾体ユニット３０は、可動役物２０の背後に配置されているが、配置場所はこれに限定されるものではない。
【００１２】
装飾体３１は、遊技盤３面上に静止可能な主装飾部材３２と、静止状態にある主可装飾部材の外径方向に配置されて内外径方向へ進退する可動装飾部材４０と、静止状態にある主装飾部材３２の背面側に隠蔽された閉止位置と外径側に突出した開放位置との間を開閉自在に構成された開閉片７５を開閉させる開閉機構７０と、を備えている。
主装飾部材３２は前後、上下、左右、任意の方向に可動に構成してもよいし、固定配置した構成としてもよい。
可動装飾部材４０は、複数（４個）の可動装飾片４１Ａ、４１Ｂ、４２Ａ、４２Ｂ、及び各可動装飾片４１Ａ、４１Ｂ、４２Ａ、４２Ｂを駆動する駆動機構５０を備えている。
上側の可動装飾片４１Ａ、４１Ｂと、下側の可動装飾片４２Ａ、４２Ｂは、支持部材Ａに設けた軸部４３、４４により夫々一端部を軸支されて遊技盤面と並行な方向へ開閉し、各可動装飾片は閉止位置にある時に主装飾部材３２に近接し、開放位置にある時に主装飾部材から離間した位置にある。上側の可動装飾片４１Ａ、４１Ｂ、及び下側の可動装飾片４２Ａ、４２Ｂは、何れも基端部側に操作片４５、４６を一体化されており、操作片間に跨って配置された各弾性部材（トーションバネ）５１、５２によって各可動装飾片は閉止方向へ弾性付勢されている。また、上側の可動装飾片４１Ａ、４１Ｂ、及び下側の可動装飾片４２Ａ、４２Ｂは、図示しないモータ等の駆動源からの駆動力により作動する駆動部材によって弾性部材５１、５２に抗して開放動作するように構成されている。
【００１３】
駆動機構５０は、一対の可動装飾片４１Ａ、４１Ｂと、一対の可動装飾片４２Ａ、４２Ｂを夫々閉止方向へ付勢する弾性部材５１、５２と、各可動装飾片対を開放位置にてロックすると共に、ロック解除時に各可動装飾片対を弾性部材５１、５２の付勢力により閉止位置に移動させるロック手段５３、５４と、を有している。
両ロック手段５３、５４は、構成が同一であるため、以下においては一方のロック手段５３についてその構成及び動作を説明する。
図８、図１０、図１１に示したように、ロック手段５３は、支持部材Ａに固定される二枚の板から成るベース部材５５と、両ベース部材５５に形成された軸穴５５ａ間に差し渡された回動自在な回動軸５６と、回動軸５６の中間部に一端を一体化されて上方に延びるレバー５７と、レバー５７先端にプランジャ５８ａを係合させてレバー５７を前後方向へ回動させるソレノイド（駆動源）５８と、回動軸５６と一体化されて下方へ延びる板状のロック解除片５９と、ベース部材５５の下部に固定された二個の中空円筒状のバネ収容体６０と、各バネ収容体６０内に配置されたコイルバネ６１と、各バネ収容体６０を軸方向に貫通し各コイルバネ６１によって軸方向前方へ弾性付勢される進退軸６２と、両進退軸６２の前端部間に差し渡し固定された円弧状のロック片６３と、両進退軸６２の後端部間に差し渡し固定されたロック被解除片６４と、を備えている。
【００１４】
ロック解除片５９の下部は、ロック被解除片６４の前方側において両進退軸６２間に入り込んでおり、ソレノイドのオンオフによりロック被解除片６４を後方（ロック解除方向）へ退避させたり、ロック被解除片６４を前方へ突出させるように構成されている。コイルバネ６１に抗してロック解除片５９がロック被解除片６４を後方へ押圧した場合にロック片６３は後方へ退避して両可動装飾片４１Ａ、４１Ｂに干渉しない状態となるため、両可動装飾片４１Ａ、４１Ｂは閉止位置に移動することが可能となる。また、ロック被解除片６４に対する後方への押圧が解除されたときにはコイルバネ６１の力によりロック片６３が前方へ突出して両可動装飾片４１Ａ、４１Ｂを開放状態にロックし得る状態となる。
ロック片６３は、後方へ退避しているときには両可動装飾片４１Ａ、４１Ｂから後方へ突出した係止ピン４７から離間しているため、両可動装飾片４１Ａ、４１Ｂは弾性部材５１の付勢力によって図４（ａ）（ｂ）、図７、図９（ａ）に示した閉止位置に移動している。一方、ロック片６３が前方へ突出しているときには両可動装飾片４１Ａ、４１Ｂから後方へ突出した係止ピン４７をロック片６３の両端部により係止できるため、両可動装飾片４１Ａ、４１Ｂは図５（ａ）（ｂ）、図９（ｂ）に示した開放位置に保持される。
両可動装飾片４１Ａ、４１Ｂが閉止位置にあるときには、ソレノイド５８の作動（プランジャ５８ａの突出）により進退軸６２はコイルバネ６１の付勢力に抗して後方へ退避しているため、進退軸と一体のロック片６３は破線で示した後方に位置しており、両可動装飾片４１Ａ、４１Ｂの係止ピン４７と干渉しない。この際、ソレノイドからの力（プランジャ５８ａの突出力）によりロック被解除片６４を当該後方位置に保持し続ける。このとき、ロック解除片５９、及びレバー５７は回動軸５６を中心として上部を前方へ回動させた状態にある。
【００１５】
一方、図示しない駆動部材によって可動装飾片４１Ａ、４１Ｂが開放動作した場合には、ソレノイド５８によりプランジャ５８ａを引っ込めることにより、後方へ退避していたロック片６３はコイルバネ６１の付勢力により前方へ突出し、ロック片６３が前方へ突出した際には各可動装飾片４１Ａ、４１Ｂに設けた係止ピン４７を図９（ｂ）のように係止するため、駆動部材からの駆動力が解除された後も可動装飾片４１Ａ、４１Ｂを開放状態に係止（ロック）することができる。図１１中の実線で示した状態は、ロック片６３が両可動装飾片４１Ａ、４１Ｂを開放状態にロックした状態であり、鎖線で示した状態は両可動装飾片４１Ａ、４１Ｂを閉止させた状態である。実線で示した開放状態にロックした状態において、ソレノイドのプランジャ５８ａを突出させるとレバー５７、ロック解除片５９が鎖線位置に移動してロック片６３を後方へ退避させるため、ロックが解除されて両可動装飾片４１Ａ、４１Ｂは閉止位置に戻る。
なお、ソレノイド５８によりレバー５７を進退させる方向は図示と逆方向であってもよい。また、ロック片６３を作動させる手段（駆動源）としては、モータを利用してもよい。
各分割可動装飾片４１Ａ、４１Ｂ、４２Ａ、４２Ｂは、例えば主装飾部材３２から外径方向へ離間した位置にあるときには遊技盤３上の可視領域から退避しており、近接位置にあるときには該可視領域内に進入するように構成する。
【００１６】
次に、図１２（ａ）及び（ｂ）は主装飾部材３２の背面側に配置された開閉機構７０の構成を示す背面側斜視図、及び分解斜視図であり、図１３（ａ）乃至（ｃ）は開閉機構の動作説明図である。
開閉機構７０は、支持部材Ａにより固定的に支持され複数（３個）の円弧状のガイドスリット７２を周方向に等間隔で配置した円盤状のベース部材（固定）７１と、ベース部材７１の前面側に配置され各ガイドスリット７２内に挿通されるピン７６を一体化した３枚の開閉片７５と、ベース部材７１の各ガイドスリット７２から後方へ突設された各ピン７６を挿通する長穴８１を１２０度間隔で配置した作動板８０と、作動板８０の中心部に出力軸８６を固定し且つ支持部材Ａにより固定されたモータ８５と、を備えている。ベース部材７１は支持部材Ａに固定されて回転しない一方で、その前面側に９０度間隔で突設したピン７３を各開閉片７５の凹状の内周縁７５ａに係合させている。作動板８０はモータにより回転駆動される。長穴８１内に嵌合したピン７６の先端には抜け落ち防止部材７６ａが固定される。
【００１７】
ベース部材７１を支持部材Ａに固定した状態でモータ８５を駆動して出力軸８６を正転、又は逆転させると、作動板８０が回転し、作動板８０の長穴８１内に遊嵌した各ピン７６がガイドスリット７２に沿って進退するため、各開閉片７５は各ピン７６を中心として内外径方向へ回動する。この際、各開閉片７５の内周縁７５ａにはベース部材７１から突設されたピン７３が摺接しながらガイドするため、各開閉片７５は一定の開閉軌道に沿って開閉動作することができる。各ピン７６を中心とした各開閉片７５の回動動作は、前方から見ると主装飾部材３２の外周縁から内径側へ退避した状態と、外周縁の外径側へ突出した状態との間で変形するように認識される。
【００１８】
図１３（ａ）は開放状態、（ｂ）は中間状態、（ｃ）は閉止状態を示している。
このため、開閉片の開放時（図１３（ａ））には、主装飾部材３２の面積が急に拡張したような意外性を有した演出が可能となる。特に、主装飾部材３２の前面に描かれた図柄等と関連性のある絵柄、或いは関連性のない図柄等を各開閉片の前面に設けておくことにより、開閉片の開放によって紋章全体の形状を拡大して見せたり、紋章の全体のイメージを大きく変化させることができる。
装飾体３１を構成する開閉片７５は前面に文字、図柄を描いたものであり、この開閉片を開放状態に移行させた場合には主装飾部材３２の前面に描かれた紋章の外周縁に沿って飾りが付加された状態となるので、紋章の面積が拡大すると共に、異なった形状に変化する。このため、形状の拡大変形により、遊技者は変化に富んだ演出を堪能することができる。
【００１９】
また、開閉片の全部、又は一部を透明、或いは半透明の透光材料により構成したり、一部に貫通部を設けておけば、開閉片の開放時に背面側から照光することにより開閉片を発光させる電飾効果を発揮させることができる。
また、画像表示装置７の画面上に表示される絵柄、文字等と、開閉片の形状や描かれた絵柄とを連携させることにより、バリエーションに富んだ演出効果を発揮させることができる。
なお、パチンコ遊技機の他の詳細な構成については図示説明していないが、本願発明の技術的範囲中にパチンコ遊技機、及び遊技盤が含まれることに疑いがない。
【図面の簡単な説明】
【００２０】
【図１】本発明の実施形態に係るパチンコ遊技機の一例を示した全体正面図である。
【図２】（ａ）及び（ｂ）は本発明の一実施形態に係る装飾体ユニットの正面図、及び背面図である。
【図３】（ａ）及び（ｂ）は本発明の一実施形態に係る装飾体ユニット（閉止状態）の全体構成を示す斜視透視図、及び装飾体ユニットの背面斜視図である。
【図４】（ａ）及び（ｂ）は装飾体ユニットの閉止状態を示す正面図、及び背面図である。
【図５】（ａ）及び（ｂ）は装飾体ユニットの開放状態を示す正面図、及び背面図である。
【図６】装飾ユニットの側部構成説明図である。
【図７】装飾ユニットの駆動機構の正面図である。
【図８】装飾ユニットの駆動機構の背面側分解斜視図である。
【図９】（ａ）及び（ｂ）は装飾ユニットの駆動機構の構成及び動作を示す背面図である。
【図１０】（ａ）及び（ｂ）装飾ユニットの駆動機構の構成及び動作を示す背面側斜視図である。
【図１１】装飾ユニットの駆動機構の構成を示す側部説明図である。
【図１２】（ａ）及び（ｂ）は主装飾部材の背面側に配置された開閉機構の構成を示す背面側斜視図、及び分解斜視図である。
【図１３】（ａ）（ｂ）及び（ｃ）は開閉機構の動作説明図である。
【符号の説明】
【００２１】
１…パチンコ遊技機、２…枠、３…遊技盤、３ａ…遊技領域、４…皿部、５…発射レバー、６…開口部、７…画像表示装置、８…可変入賞装置、９…ステージ部、１１…始動入賞口、１３…ゲート、１４…大入賞口、１５…アウト口、２０…可動役物、２１…開閉部材、２２…開閉部材、３０…装飾体ユニット、３１…装飾体、３２…主装飾部材、４０…可動装飾部材、４１Ａ…可動装飾片、４２Ａ、４２Ｂ…可動装飾片、４３、４４…軸部、４５…操作片、４７…係止ピン、５０…駆動機構、５１、５２…弾性部材、５３、５４…ロック手段、５５…ベース部材、５５ａ…軸穴、５６…回動軸、５７…レバー、５８…ソレノイド、５８ａ…プランジャ、５９…ロック解除片、６０…バネ収容体、６１…コイルバネ、６２…進退軸、６３…ロック片、６４…ロック被解除片、７０…開閉機構、７１…ベース部材、７２…ガイドスリット、７３…ピン、７５…開閉片、７５ａ…内周縁、７６…ピン、８０…作動板、８１…長穴、８５…モータ、８６…出力軸
【図１】
2010022434.tif 000003
【図２】
2010022434.tif 000004
【図３】
2010022434.tif 000005
【図４】
2010022434.tif 000006
【図５】
2010022434.tif 000007
【図６】
2010022434.tif 000008
【図７】
2010022434.tif 000009
【図８】
2010022434.tif 000010
【図９】
2010022434.tif 000011
【図１０】
2010022434.tif 000012
【図１１】
2010022434.tif 000013
【図１２】
2010022434.tif 000014
【図１３】
2010022434.tif 000015